(57)【要約】【課題】  オゾンの吐出流量、方向を適宜変更でき、菌類、白蟻の発生等を効果的に防止できると共に、修理、交換作業等も容易な換気装置を提供する。【解決手段】  換気装置１において、本体部２の送風口２２近傍にカートリッジ装着空間２３を画成し、オゾン発生カートリッジ６をカートリッジ装着空間２３に着脱自在とする。カートリッジ装着空間２３は複数形成し、オゾン発生カートリッジ６を選択的に着脱できるようにするのが好ましい。【選択図】              図１
2005221131.tif 000002
【特許請求の範囲】
【請求項１】
本体部の送風口近傍にカートリッジ装着空間を画成し、オゾン発生カートリッジを前記カートリッジ装着空間に着脱自在としたことを特徴とする換気装置。
【請求項２】
本体部の送風口近傍にカートリッジ装着空間を複数形成したことを特徴とする請求項１に記載の換気装置。
【発明の詳細な説明】
【技術分野】
【０００１】
本発明は、床下、天井裏等の狭い空間に設置され、滞留した湿度の高い空気を強制的に攪拌して、床下、天井裏等を効率的に換気する換気装置に関する。
【背景技術】
【０００２】
従来、床下、天井裏等に設置される換気装置として、特許文献１に記載される如く、内部にオゾン発生部を配設し、発生させたオゾンを空気と共に送風口から周囲に流出し、床下、天井裏等に滞留した湿度の高い空気を強制的に攪拌すると共に、菌類、白蟻の発生等をオゾンによる殺菌力によって防止するものが知られている。
【０００３】
【特許文献１】特開平１０−２６７３４６号公報
【発明の開示】
【発明が解決しようとする課題】
【０００４】
しかし、従来の換気装置では、オゾン発生部が換気装置と一体化されているため、オゾンの吐出流量、方向を換気装置の設置場所、状況に応じて適宜変更することができず、菌類、白蟻の発生等を十分に防止できなかったり、一方において、オゾンを過剰に流出させて無駄になる場合があった。
【０００５】
又、オゾン発生部が換気装置と一体化されているため、オゾン発生部が故障したり、破損したりした場合には、換気装置自体を修理しなければならないか、新品に交換しなければならず、装置コスト、修理、交換作業等の面でも問題があった。
【０００６】
本発明は、かかる問題点に鑑みて為されたものであって、オゾンの吐出流量、方向を換気装置の設置場所、状況に応じて適宜変更することができ、菌類、白蟻の発生等を効果的に防止できると共に、オゾン発生部が故障したり、破損したりした場合にも、修理、交換にあまりコストが掛からず、又、修理、交換作業等も容易な換気装置を提供することを目的とする。
【課題を解決するための手段】
【０００７】
上記目的を達成するため、本発明の換気装置は、本体部の送風口近傍にカートリッジ装着空間を画成し、オゾン発生カートリッジを前記カートリッジ装着空間に着脱自在としたことを特徴とするものである。
【０００８】
ここで、本体部の送風口近傍にカートリッジ装着空間を複数形成し、オゾン発生カートリッジを選択的に着脱させるのが好ましい。
【発明を実施するための最良の形態】
【０００９】
以下、本発明の換気装置の実施形態について、図面を参照しつつ具体的に説明する。
【００１０】
本発明の換気装置１は、図１乃至図５に示すように、本体部２と、吊下支持部３と、載置支持部４と、回転機構部５と、オゾン発生カートリッジ６とから構成される。
【００１１】
本体部２は、ケーシング２１が略風車形状を呈し、周辺部に周方向等間隔で４つの送風口２２を形成してあり、底面には吸気口２３を形成してある。又、ケーシング２１内には、シロッコファン等の多翼送風ファン（図示を省略する）を配設してある。
そして、多翼送風ファンを回転させることによって、吸気口２３から空気を吸入し、送風口２２から空気を吐出するようになっている。これによって、周囲の空気が攪拌されて設置個所近傍の換気が行われる。
【００１２】
吊下支持部３は、平板を略Ｌ字型に折曲した移動板３１と、保持体３２とから成り、移動板３１には長溝部３１ａを、保持体３２の立設板部３３には螺子孔３３ａを穿設してある。
そして、ボルトを長溝部３１ａに挿通させ、螺子孔３３ａに螺合させ、ボルトを緩めておけば、移動板３１は立設板部３３に沿って上下移動でき、ボルトを締め付ければ、移動板３１は立設板部３３に固定されるようになっている。
【００１３】
載置支持部４は、４本の支持脚４１と蝶螺子４２とから成り、ケーシング２１の側面部であって各送風口２２の中間に、スライド可能に設置されている。
そして、蝶螺子４２を緩めておけば、支持脚４１は上下移動でき、蝶螺子４２を締め付ければ、支持脚４１は固定されるようになっている。
【００１４】
回転機構部５は、ケーシング２１の上面に固定された嵌合溝形成板２４と、保持体３２の保持板部３４とから構成される。
嵌合溝形成板２４には周方向に所定間隔で嵌合溝２４ａ，２４ａ，・・・を形成してあり、保持板部３４の両側部には弾力付勢した突起部３４ａ，３４ａを形成してあり、嵌合溝２４ａ，２４ａ，・・・に突起部３４ａ，３４ａを嵌合自在としてある。
【００１５】
オゾン発生カートリッジ６は、図２に示すように、紫外線照射管６１、電源６２、照射管支持体６３、保護カバー６４等から構成される。
紫外線照射管６１は、空気中の酸素に紫外線を照射することによってオゾンを生成する機能を有するものである。
【００１６】
本発明の換気装置１では、図１に示すように、本体部２の送風口２２近傍にカートリッジ装着空間２３を画成してあり、常時においては、カートリッジ装着空間２３を閉鎖カバー２４によって閉鎖してある。
ここで、カートリッジ装着空間２３は、本体部２の一つの送風口２２近傍に画成されていてもよく、全ての送風口２２近傍に画成されていてもよいが、オゾンの吐出流量、方向を適宜変更する効果からすれば、複数の送風口２２近傍に画成されているのが好ましい。
【００１７】
本発明の換気装置１によれば、吊下支持部３の移動板３１を保持体３２の立設板部３３に沿って上下移動させれば、移動板３１を適宜上方に突出させることができ、移動板３１を根太、大引等の適宜個所に固定すれば、換気装置１の本体部２を適宜高さ方向位置に吊下、設定することができる。
【００１８】
又、載置支持部４の４本の支持脚４１を上下移動させれば、支持脚４１を適宜下方に突出させることができ、４本の支持脚４１を床下の地面の適宜個所に載置すれば、換気装置１の本体部２を適宜高さ方向位置に載置、設定することができる。
【００１９】
さらに、回転機構部５において、保持体３２の保持板部３４を回転させ、突起部３４ａ，３４ａを嵌合溝形成板２４との適宜嵌合溝２４ａ，２４ａに嵌合させれば、送風口２２の位置を適宜変更することができ、空気の周囲への流出方向を変更することができ、効率的な換気が行うことができる。
【００２０】
又、本発明の換気装置１では、移動板３１及び保持体３２を本体部２に装着自在としてあるから、換気装置１を吊下、設定する場合には、移動板３１及び保持体３２を本体部２に装着し、換気装置１を載置、設定する場合には、移動板３１及び保持体３２を本体部２から離脱すればよく、床下、天井裏等の形状又は構造によって、適宜状態で換気装置１を設置できる。
【００２１】
オゾン発生カートリッジ６は、図１に示すように、本体部２の送風口２２近傍に固定してある閉鎖カバー２４を離脱させ、カートリッジ装着空間２３を開放し、紫外線照射管６１、照射管支持体６３等をカートリッジ装着空間２３内に位置させ、保護カバー６４を本体部２に固定することによって装着することができる。
【００２２】
このように、オゾン発生カートリッジ６は、本体部２に容易に着脱することができるから、オゾンの吐出流量、方向を換気装置の設置場所、状況に応じて適宜変更することができ、菌類、白蟻の発生等を十分に防止できると共に、オゾンを過剰に流出させて無駄にすることもない。
【００２３】
又、オゾン発生カートリッジ６が故障したり、破損したりした場合には、オゾン発生カートリッジ６のみを交換すればよく、装置コストは安価であり、修理作業は必要なく、交換作業も極めて簡単である。
【００２４】
尚、上記実施例の換気装置１では、オゾン発生カートリッジ６を本体部２の送風口２２近傍に装着できるようにした。かかる構成によれば、発生したオゾンが吐出される空気と十分に混合されて効果的に周囲に拡散される点で好ましいが、必ずしも、送風口２２近傍に装着されなくともよい。
【図面の簡単な説明】
【００２５】
【図１】本発明の換気装置にオゾン発生カートリッジ装着した状態を示す外観斜視図である。
【図２】オゾン発生カートリッジの外観斜視図である。
【図３】本発明の換気装置を上方から視た外観斜視図である。
【図４】本発明の換気装置を下方から視た外観斜視図である。
【図５】本発明の換気装置の正面図である。
【図６】従来の換気装置において、空気の吐出方向を説明する横断面図である。
【符号の説明】
【００２６】
１  換気装置
２  本体部
２２  送風口
３  吊下部
３１  鈎部
３２  旋回部
４  脚部
５  オゾン発生部
【図１】
2005221131.tif 000003
【図２】
2005221131.tif 000004
【図３】
2005221131.tif 000005
【図４】
2005221131.tif 000006
【図５】
2005221131.tif 000007
【図６】
2005221131.tif 000008